【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
撮像素子の出力に基づく画像を表示手段に表示し、その画像を観察しながら撮影を行うと共に、撮影した複数の画像を送信可能なカメラにおいて、
送信する各画像の撮影条件情報が、所定条件に合致した時に、外部より発信されてくる仮想空間のコンピュータグラフィック画像を、上記表示手段に表示および撮影を可能とするカメラ。
【請求項２】
上記撮影条件情報は、撮影位置の変化、または時間情報であることを特徴とする請求項１に記載のカメラ。
【請求項３】
上記撮影条件情報は、撮影禁止領域の表示の撮影であることを特徴とする請求項１に記載のカメラ。
【請求項４】
上記受信画像は、上記撮像素子の出力の変化に従って変化することを特徴とする請求項１に記載のカメラ。
【請求項５】
撮影レンズを介して結像する被写体像を光電変換する撮像素子と、
この撮像素子の出力に基づいて画像を表示する表示部と、
上記撮像素子の出力に基づく画像データの取得を指示するレリーズ部と、
このレリーズ部によって指示された上記画像データを記録する記録部と、
外部から仮想空間のコンピュータグラフィック画像を入力する入力部と、
この入力部によって入力された上記仮想空間のコンピュータグラフィック画像を上記表示部に表示させ、上記レリーズ部の指示に従って上記仮想空間のコンピュータグラフィック画像を記録する制御部と、
を具備することを特徴とするカメラ。
【請求項６】
上記撮像素子の出力に基づいて撮影した画像に関する撮影条件が所定条件に合致したときに、上記仮想空間のコンピュータグラフィック画像を上記表示部に表示させることを特徴とする請求項５に記載のカメラ。
【請求項７】
上記所定条件は、撮影位置の変化もしくは時間情報の変化、または撮影画像の変化であることを特徴とする請求項６に記載のカメラ。
【請求項８】
外部機器に設けられた上記所定条件の判定部に、上記撮影条件を送信することを特徴とする請求項６に記載のカメラ。
【請求項９】
カメラの動きを検出する動き検出部の出力に基づいて、上記仮想空間のコンピュータグラフィック画像を移動させることを特徴とする請求項５に記載のカメラ。
【請求項１０】
上記仮想空間のコンピュータグラフィック画像は仮想空間の画像であることを特徴とする請求項５に記載のカメラ。
【請求項１１】
上記画像は、上記レリーズ指示がなされた時の静止画像、または上記レリーズ指示がなされ時から次のレリーズ指示がなされるまでの間の動画像であることを特徴とする請求項５に記載のカメラ。
【請求項１２】
仮想空間のコンピュータグラフィック画像を生成するコンピュータグラフィックライブラリを有し、若しくは上記コンピュータグラフィックライブラリを有するサーバーと連携するサーバー装置において、
外部のカメラから撮影条件を受信する受信部と、
上記撮影条件に基づいて、上記仮想空間のコンピュータグラフィック画像を送信するか否かを判定する判定部と、
上記撮影条件が所定条件を満たした場合に、上記仮想空間のコンピュータグラフィック画像を送信する送信部と、
を具備することを特徴とするサーバー装置。
【請求項１３】
上記判定条件は、撮影位置もしくは時間情報の変化、または撮影画像の変化であることを特徴とする請求項１２に記載のサーバー装置。
【請求項１４】
撮影レンズを介して結像する被写体像を光電変換する撮像素子と、この撮像素子の出力に基づいて画像を表示する表示部と、上記撮像素子の出力に基づく画像データの取得を指示するレリーズ部と、このレリーズ部によって指示された上記画像データを記録する記録部を有するカメラにおける画像記録方法であって、
外部から仮想空間のコンピュータグラフィック画像を入力し、
この入力された上記仮想空間のコンピュータグラフィック画像を上記表示部に表示し、
上記レリーズ部の指示に従って上記仮想空間のコンピュータグラフィック画像を記録する、
カメラにおける画像記録方法。
【請求項１５】
撮像素子の出力に基づく画像を表示手段に表示し、その画像を観察しながら撮影を行うと共に、撮影した複数の画像を送信可能なカメラにおける画像記録方法であって、
送信する各画像の撮影条件情報が、所定条件に合致した時に、外部より発信されてくる仮想空間のコンピュータグラフィック画像を、上記表示手段に表示および撮影を可能とする画像記録方法。
【手続補正２】
【補正対象書類名】明細書
【補正対象項目名】発明の名称
【補正方法】変更
【補正の内容】
【発明の名称】カメラ、画像記録方法、およびサーバー装置
【手続補正３】
【補正対象書類名】明細書
【補正対象項目名】０００１
【補正方法】変更
【補正の内容】
【０００１】
本発明は、カメラ、画像記録方法、およびサーバー装置に関し、詳しくは、仮想空間等の外部サービスによって提供される情景の撮影機能を有するカメラ、画像記録方法、およびこれに適合するサーバー装置に関する。
【手続補正４】
【補正対象書類名】明細書
【補正対象項目名】０００７
【補正方法】変更
【補正の内容】
【０００７】
本願発明は、このような事情を鑑みてなされたものであり、仮想空間のコンピュータグラフィック画像で生成された情景を、現実の情景と同じ感覚で撮影できるカメラ、画像記録方法、およびこれに適合するサーバー装置を提供することを目的とする。
【手続補正５】
【補正対象書類名】明細書
【補正対象項目名】０００８
【補正方法】変更
【補正の内容】
【０００８】
上記目的を達成するため第１の発明に係わるカメラは、撮像素子の出力に基づく画像を表示手段に表示し、その画像を観察しながら撮影を行うと共に、撮影した複数の画像を送信可能なカメラにおいて、送信する各画像の撮影条件情報が、所定条件に合致した時に、外部より発信されてくる仮想空間のコンピュータグラフィック画像を、上記表示手段に表示および撮影を可能とする。
【手続補正６】
【補正対象書類名】明細書
【補正対象項目名】００１０
【補正方法】変更
【補正の内容】
【００１０】
上記目的を達成するため第５の発明に係わるカメラは、撮影レンズを介して結像する被写体像を光電変換する撮像素子と、この撮像素子の出力に基づいて画像を表示する表示部と、上記撮像素子の出力に基づく画像データの取得を指示するレリーズ部と、このレリーズ部によって指示された上記画像データを記録する記録部と、外部から仮想空間のコンピュータグラフィック画像を入力する入力部と、この入力部によって入力された上記仮想空間のコンピュータグラフィック画像を上記表示部に表示させ、上記レリーズ部の指示に従って上記仮想空間のコンピュータグラフィック画像を記録する制御部を具備する。
【手続補正７】
【補正対象書類名】明細書
【補正対象項目名】００１１
【補正方法】変更
【補正の内容】
【００１１】
第６の発明に係わるカメラは、上記第５の発明において、上記撮像素子の出力に基づいて撮影した画像に関する撮影条件が所定条件に合致したときに、上記仮想空間のコンピュータグラフィック画像を上記表示部に表示させる。
また、第７の発明に係わる画像送信システムは、上記第６の発明において、上記所定条件は、撮影位置の変化もしくは時間情報の変化、または撮影画像の変化である。
さらに、第８の発明に係わる画像送信システムは、上記第６の発明において、外部機器に設けられた上記所定条件の判定部に、上記撮影条件を送信する。
【手続補正８】
【補正対象書類名】明細書
【補正対象項目名】００１２
【補正方法】変更
【補正の内容】
【００１２】
さらに、第９の発明に係わるカメラは、上記第５の発明において、カメラの動きを検出する動き検出部の出力に基づいて、上記仮想空間のコンピュータグラフィック画像を移動させる。
さらに、第１０の発明に係わるカメラは、上記第５の発明において、上記仮想空間のコンピュータグラフィック画像は仮想空間の画像である。
さらに、第１１の発明に係わるカメラは、上記第５の発明において、上記画像は、上記レリーズ指示がなされた時の静止画像、または上記レリーズ指示がなされ時から次のレリーズ指示がなされるまでの間の動画像である。
【手続補正９】
【補正対象書類名】明細書
【補正対象項目名】００１３
【補正方法】変更
【補正の内容】
【００１３】
上記目的を達成するため第１２の発明に係わるサーバー装置は、仮想空間のコンピュータグラフィック画像を生成するコンピュータグラフィックライブラリを有し、若しくは上記コンピュータグラフィックライブラリを有するサーバーと連携するサーバー装置において、外部のカメラから撮影条件を受信する受信部と、上記撮影条件に基づいて、上記仮想空間のコンピュータグラフィック画像を送信するか否かを判定する判定部と、上記撮影条件が所定条件を満たした場合に、上記仮想空間のコンピュータグラフィック画像を送信する送信部を具備する。
【手続補正１０】
【補正対象書類名】明細書
【補正対象項目名】００１５
【補正方法】変更
【補正の内容】
【００１５】
上記目的を達成するため第１４の発明に係わるカメラにおける画像記録方法は、撮影レンズを介して結像する被写体像を光電変換する撮像素子と、この撮像素子の出力に基づいて画像を表示する表示部と、上記撮像素子の出力に基づく画像データの取得を指示するレリーズ部と、このレリーズ部によって指示された上記画像データを記録する記録部を有するカメラにおける画像記録方法であって、外部から仮想空間のコンピュータグラフィック画像を入力し、この入力された上記仮想空間のコンピュータグラフィック画像を上記表示部に表示し、上記レリーズ部の指示に従って上記仮想空間のコンピュータグラフィック画像を記録する。
上記目的を達成するため第１５の発明に係わる画像記録方法は、撮像素子の出力に基づく画像を表示手段に表示し、その画像を観察しながら撮影を行うと共に、撮影した複数の画像を送信可能なカメラにおける画像記録方法であって、送信する各画像の撮影条件情報が、所定条件に合致した時に、外部より発信されてくる仮想空間のコンピュータグラフィック画像を、上記表示手段に表示および撮影を可能とする。
【手続補正１１】
【補正対象書類名】明細書
【補正対象項目名】００１６
【補正方法】変更
【補正の内容】
【００１６】
本発明によれば、仮想空間のコンピュータグラフィック画像で生成された情景を、現実の情景と同じ感覚で撮影できるカメラ、画像記録方法、およびこれに適合するサーバー装置を提供することができる。